【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
机の水平な表面に配置するための、小型で垂直向きの電子写真式印刷装置であって、前面及び後面及び幅を有するものにおいて、
前記印刷装置の幅と平行な軸、及び上半部と下半部とからなる円周を備えている全般的に円筒状の光伝導体ドラムであって、机の水平な表面と平行となるように、当該軸が水平な面に配置されている光伝導体ドラムと、
複数の現像器を備えている現像モジュールであって、各々の現像器が光伝導体ドラムの上方に設置されている容器を有し、かつ各々の現像器が光伝導体ドラムの前記上半部に密接する現像スリーブを有する現像モジュールと、
すべて光伝導体ドラムの実質的に下方に、かつ光伝導体ドラムの円周の前記下半部に密接して設置されている中間転写部材及び廃トナー除去部材及び充電部材とからなり、
前記容器の全てが、前記光伝導体ドラムの軸と交差する平面に位置する前方及び後方の水平方向の範囲を有し、当該水平方向の範囲のなす平面の全てが前記水平な面より上方に45°よりも大きな角度をなし、
前記中間転写部材が、前記光伝導体ドラムの実質的に下方に、かつ前記水平な面に対して45°〜80°の範囲の角度をもって配置されている細長いベルトであり、
前記印刷装置が、さらに長手軸を有するレーザスキャナを備え、このレーザスキャナが、前記細長いベルトと当該レーザスキャナが前記光伝導体ドラムの下方でＶ形配置を形成するように、当該レーザスキャナの長手軸が前記水平な面に対して45°よりも大きな角度をもって配置されて、前記細長いベルトとは反対側の前記光伝導体ドラムの側面に配置され、
それによって、前記印刷装置が、前記机の表面に置かれた際に小さな専有面積を示す電子写真式印刷装置。
【請求項２】
前記現像スリーブが、放射状に配置され、その中心が２インチ以下の距離だけ離れている請求項１に記載の電子写真式印刷装置。
【請求項３】
前記光伝導体ドラムからの、複数の前記現像器の距離を制御するためのカムシステムをさらに含み、このシステムが前記光伝導体ドラムの両端の近くに回転可能なカムを備え、カムのそれぞれが、複数の前記現像器に接触してそれらを前記光伝導体ドラムから隔置するための突出している外形を有し、カムのそれぞれが、前記突出する外形に、前記現像器を前記光伝導体ドラムにより一層近づけるための複数の凹みを有し、前記突出する外形が前記光伝導体ドラムから前記現像器の他のものを隔置している間、当該複数の凹みの１つが、接触現像のために、１つの現像スリーブを受容して、一度に１つの前記現像器を前記光伝導体ドラムに接触させるように適合され、前記複数の凹みの他のものが、非接触現像のために、一度に４つの前記現像スリーブを受容し、一度に４つの前記現像器を前記光伝導体ドラムから隔置して保持するように適合され、それによって前記光伝導体ドラムに対する現像器の位置が、前記カムを順次回転させることにより制御することができる請求項１に記載の電子写真式印刷装置。
【請求項４】
前記容器が楔形であり、前記光伝導体ドラムの上方に放射状に設置されている請求項１項に記載の電子写真式印刷装置。
【請求項５】
前記光伝導体ドラムが、６インチよりも小さな直径を有する請求項１に記載の電子写真式印刷装置。
【請求項６】
前記現像スリーブが、放射状に配置され、その中心が２インチ以下の距離だけ離れている請求項３に記載の電子写真式印刷装置。
【請求項７】
前記容器が楔形であり、前記光伝導体ドラムの上方に放射状に設置されている請求項３項に記載の電子写真式印刷装置。
【請求項８】
前記光伝導体ドラムが、６インチよりも小さな直径を有する請求項３に記載の電子写真式印刷装置。
【請求項９】
机の水平な表面に配置するための、小型で垂直向きの電子写真式印刷装置であって、前面及び後面及び幅を有するものにおいて、
前記印刷装置の幅と平行な軸、及び上半部と下半部とからなる円周を備えている全般的に円筒状の光伝導体ドラムであって、机の水平な表面と平行となるように、当該軸が水平な面に配置されている光伝導体ドラムと、
複数の現像器を備えている現像モジュールであって、各々の現像器が光伝導体ドラムの上方に設置されている容器を有し、かつ各々の現像器が光伝導体ドラムの前記上半部に密接する現像スリーブを有する現像モジュールと、
すべて光伝導体ドラムの実質的に下方に、かつ光伝導体ドラムの円周の前記下半部に密接して設置されている中間転写部材及び廃トナー除去部材及び充電部材とからなり、
前記容器の全てが、前記光伝導体ドラムの軸と交差する平面に位置する前方及び後方の水平方向の範囲を有し、当該水平方向の範囲のなす平面の全てが前記水平な面より上方に45°よりも大きな角度をなし、
前記中間転写部材が、前記光伝導体ドラムの実質的に下方に、かつ前記水平な面に対して45°〜80°の範囲の角度をもって配置されている細長いベルトであり、
前記印刷装置が、前記光伝導体ドラムからの、複数の前記現像器の距離を制御するためのカムシステムをさらに含み、このシステムが前記光伝導体ドラムの両端の近くに回転可能なカムを備え、カムのそれぞれが、複数の前記現像器に接触してそれらを前記光伝導体ドラムから隔置するための突出している外形を有し、カムのそれぞれが、前記突出する外形に、前記現像器を前記光伝導体ドラムにより一層近づけるための複数の凹みを有し、前記突出する外形が前記光伝導体ドラムから前記現像器の他のものを隔置している間、当該複数の凹みの１つが、接触現像のために、１つの現像スリーブを受容して、一度に１つの前記現像器を前記光伝導体ドラムに接触させるように適合され、前記複数の凹みの他のものが、非接触現像のために、一度に４つの前記現像スリーブを受容し、一度に４つの前記現像器を前記光伝導体ドラムから隔置して保持するように適合され、それによって前記光伝導体ドラムに対する現像器の位置が、前記カムを順次回転させることにより制御することができ、
それによって、前記印刷装置が、前記机の表面に置かれた際に小さな専有面積を示すとともに、前記印刷装置に、接触現像及び非接触現像の双方に対するカムが取り付けられている電子写真式印刷装置。
【請求項１０】
机の水平な表面に配置するための、小型で垂直向きの電子写真式印刷装置であって、前面及び後面及び幅を有するものにおいて、
前記印刷装置の幅と平行な軸、及び上半部と下半部とからなる円周を備えている全般的に円筒状の光伝導体ドラムであって、机の水平な表面と平行となるように、当該軸が水平な面に配置されている光伝導体ドラムと、
複数の現像器を備えている現像モジュールであって、各々の現像器が光伝導体ドラムの上方に設置されている容器を有し、かつ各々の現像器が光伝導体ドラムの前記上半部に密接する現像スリーブを有する現像モジュールと、
すべて光伝導体ドラムの実質的に下方に、かつ光伝導体ドラムの円周の前記下半部に密接して設置されている中間転写部材及び廃トナー除去部材及び充電部材とからなり、
前記容器の全てが、前記光伝導体ドラムの軸と交差する平面に位置する前方及び後方の水平方向の範囲を有し、当該水平方向の範囲のなす平面の全てが前記水平な面より上方に45°よりも大きな角度をなし、
前記中間転写部材が、前記光伝導体ドラムの実質的に下方に、かつ前記水平な面に対して45°〜80°の範囲の角度をもって配置されている細長いベルトであり、この細長いベルトの前方及び後方の水平方向の範囲が、前記容器の前方及び後方の水平方向の範囲よりも水平方向に広がらず、
それによって、前記印刷装置が、前記机の表面に置かれた際に小さな専有面積を示す電子写真式印刷装置。
【手続補正２】
【補正対象書類名】明細書
【補正対象項目名】０００８
【補正方法】変更
【補正の内容】
【０００８】
カラー印刷の場合には、清掃、露出（書込）、および現像のサイクルが画像の各カラー平面について繰り返される。したがって、３または４サイクルが、「多色」または「多重現像」とも言われるカラーシステムに対して行なわれ、これは通常、シアン（ｃ）、黄色（ｙ）、マゼンタ（ｍ）、および普通は黒（ｋ）から成る。
【手続補正３】
【補正対象書類名】明細書
【補正対象項目名】００２１
【補正方法】変更
【補正の内容】
【００２１】
本発明のモジュールおよびその対応する画像転写システムは、万能的に適用可能なシステムとなり、接触および非接触の双方において各媒体サイズ、トナー容量（現像寿命）、および媒体の向き（ランドスケープ（landscape）対ポートレート（portrait））について種々の現像モジュールを設けるという通常の方法に置き換わる可能性を有している。本発明のシステムは、３つの好ましい領域に適応するためにこの一般性を提供している。
【手続補正４】
【補正対象書類名】明細書
【補正対象項目名】００２５
【補正方法】変更
【補正の内容】
【００２５】
本発明のＥＰ装置の様々な特徴が、一層小型で垂直向きのシステムを、したがって、通常のＥＰ装置より小さい形状係数および占有面積をもたらす。本発明の現像モジュールは好適には、いつでも画像平面の一部だけを保持するよう設計された小型ＯＰＣドラムと協同するが、必要であれば、更に大きく、寿命の長いＯＰＣドラムとともに使用することも可能である。本発明の現像モジュールは、円筒状現像器電極を放射状に整列かつ互いに密接させ、すなわち、好適にはそれらの中心で約１インチから２インチ未満離して、ＯＰＣの周囲のほぼ半分の周りに概して放射状に整列された複数のカラー現像器を備えている。中間転写（ＩＴ）部材、廃トナー除去ステーション、および充電ステーションのような、他のプロセスステーションは、概して現像器に対向して、ＯＰＣの他の半分の周りに設置されている。好適には、ＩＴ部材およびレーザスキャナは、ＯＰＣのいずれかの側面に、水平面より上に45°より大きい角度で設置されてＯＰＣの下半部の周りに「Ｖ」配置を作る。
【手続補正５】
【補正対象書類名】明細書
【補正対象項目名】００２６
【補正方法】変更
【補正の内容】
【００２６】
好適には、カラー現像器の容器は、細長く、その長手軸は概して垂直に、すなわち、水平面より上に45°より大きい角度で設置されている。好適には、容器の前および後の水平範囲は、ＯＰＣドラムと交差し、かつ水平面より上に45°より大きい平面の上にある。容器は、たとえば、ＯＰＣ上方に広がっている楔状の容器でよく、またはＯＰＣの上方に重なった薄い、箱状の容器でよい。現像器の容器は、「積み重なる」ように、すなわち、それらの外面で、現像器の容器の間に空間がわずかまたは全く無い状態に組み合うように設計されているので、４個の現像器は、全体空間の最小限しか占有しない。
【手続補正６】
【補正対象書類名】明細書
【補正対象項目名】００２９
【補正方法】変更
【補正の内容】
【００２９】
図６に示した本発明のＥＰ装置70の好適実施例は、概してＶ形配置で設計されている。このＶ配置は、通常の大きい、水平向きのシステムに比較して、小型の垂直向きのシステムを作る。この配置では、現像モジュール71は４個の現像器77を備え、各々の現像器77は楔状容器72、72'および円筒状現像スリーブ73を備えている。容器72、72'は、ＯＰＣドラム78の周囲の上半部75の上方にあり、レーザスキャナ74の平面とＩＴベルト76との間に広がっている。レーザスキャナ74をＶの左脚と考えてよく、またＩＴベルト76をＶの右脚と考えてよい。
【手続補正７】
【補正対象書類名】明細書
【補正対象項目名】００３１
【補正方法】変更
【補正の内容】
【００３１】
ＩＴベルト76は、容器72、72'とは反対のＯＰＣドラム78の側面に、すなわち、概してＯＰＣドラム78の下半部81の近くに設置された細長いベルトである。ＩＴベルト76は、好適には、水平面より上に45°以上に傾いているが、水平に対して５から90°の間のどんな角度にも傾けることができ、現像器の前または後に（すなわち、図６に示すように、または図６の鏡像でのように）置くことができる。ポートレートまたは長い特殊な紙が必要な場合、ＩＴベルト76を現像器容器72、72'の傍に上に延ばすことができる。ポートレート延長（図６でａからｂまで）またはランドスケープ延長（図６でｃからｄまで）は、単にＩＴベルト76の長さを変えることにより行なわれる。ＩＴベルト76からの画像は、転写ステーション79で、Ｖの点の近くで印刷媒体に移される。